(57)【要約】【課題】大腿及び膝の横方向の動きを抑制し、大腿外側面により一層のマッサージ効果を与えると共に、これまでなんらマッサージ効果が伝達されていなかった膝周辺の内側及び外側を対象としてマッサージすることができるマッサージ機を提供する。【解決手段】一方の足の膝周辺（膝上、膝、膝下を意味する）の内側と他方の足の膝周辺とに接する保持部１０を座部に形成しているので、被施療者の膝周辺間に形成されている保持部１０があり、座位している被施療者の足を常時少なくとも保持部１０の幅分開かせることとなっており、この状態で前記大腿部エアセル１１が膨張することで膝周辺を保持部がしっかり保持して固定され、膝周辺を押圧すると共に、横方向の移動の自由を奪われた大腿及び臀部がしっかり大腿部エアセル１１に狭圧され、膝周辺、大腿及び臀部に十分なマッサージ効果を与えることができる。【選択図】  図１
2004267563.tif 000002
【特許請求の範囲】
【請求項１】
少なくとも被施療者が座位する座部、及び、被施療者の大腿から臀部までの少なくとも一部分を側方から押圧する大腿部エアセルを有するマッサージ機において、
被施療者が座位状態で膝を含む膝周辺内側の両方共に接する保持部を座部に形成することを
特徴とするマッサージ機。
【請求項２】
少なくとも被施療者が座位する座部、及び、被施療者の大腿から臀部までの少なくとも一部分を側方から押圧する大腿部エアセルを有するマッサージ機において、
当該座部の前端側中央部に座部上面方向、座部斜上面方向若しくは座部前方方向へ突出する内側保持部を形成することを
特徴とするマッサージ機。
【請求項３】
前記請求項２に記載のマッサージ機において、
当該座部の前端側両側に座部上面方向、座部斜上面方向若しくは座部前方方向へ突出する外側保持部を形成することを
特徴とするマッサージ機。
【請求項４】
前記請求項１ないし３のいずれかに記載のマッサージ機において、
前記保持部、内側保持部及び外側保持部がエアセルからなることを
特徴とするマッサージ機。
【請求項５】
前記請求項１ないし３のいずれかに記載のマッサージ機において、
前記保持部、内側保持部及び外側保持部にエアセルを配設することを
特徴とするマッサージ機。
【請求項６】
前記請求項３に記載のマッサージ機において、
前記内側保持部及び外側保持部の少なくとも一方を、前記座部の前端方向に設けられる回動自在のフットレストの両壁と連続形成することを
特徴とするマッサージ機。
【発明の詳細な説明】
【０００１】
【発明の属する技術分野】
本発明は、座部を有するマッサージ機に関し、特に、膝周辺を施療するマッサージ機に関する。
【０００２】
【従来の技術】
従来のマッサージ機としては、特開２００１−２９４１３号公報に記載されるものがあり、以下、図１４に基づいて説明する。図１４は、従来のマッサージ機の内部構造を示す斜視図である。
【０００３】
従来のマッサージ機は、人体のふくらはぎ部の圧迫のための空気袋１１２と、人体の大腿部から臀部にかけての部分を下方から押圧する空気袋１０９と、人体の大腿部から臀部にかけての部分を側方から押圧する空気袋１１１と、これら空気袋を膨張収縮させる給排気手段とを備えたマッサージ機において、上記給排気手段は、大腿部から臀部にかけての部分を下方から押圧する空気袋１０９及び人体の大腿部から臀部にかけての部分を側方から押圧する空気袋１１１への給気膨張を人体のふくらはぎ部の圧迫のための空気袋１１２を膨張させた状態で行うものである。
【０００４】
この従来のマッサージ機によれば、前記給排気手段は大腿部から臀部にかけての部分を下方から押圧する空気袋１０９及び人体の大腿部から臀部にかけての部分を側方から押圧する空気袋１１１への給気膨張を人体のふくらはぎ部の圧迫のための空気袋１１２を膨張させた状態で行うために、ふくらはぎ部を圧迫固定した状態で大腿部から臀部にかけての部分を下方から押圧することができるものであり、このために人体の大腿部から臀部にかけての部分が空気袋１０９の膨張で浮き上がってしまうことを防ぐことができるものであって、空気袋１０９の膨張によるマッサージ力の伝達効率を高めることができる。さらに、人体の大腿部から臀部にかけての部分を側方から押圧する空気袋１１１を併せ持っており、人体を押圧してマッサージすることができる部分が広くなるだけでなく、大腿部から臀部にかけての部分を下方から押圧する空気袋１０９を膨張させた時の人体の浮き上がりを防ぐことができるために、空気袋の膨張によるマッサージ力の伝達効率をさらに高めることができる。
【０００５】
【特許文献１】
特開２００１−２９４１３号公報
【０００６】
【発明が解決しようとする課題】
前記従来のマッサージ機は以上のように構成されていたため、ふくらはぎ部を圧迫固定した状態でマッサージすることで空気袋の膨張によるマッサージを伝達し、また、側方から押圧することで被施療者の大腿部から臀部にかけての部分をマッサージすることができるものの、ふくらはぎ部を圧迫固定しても前後左右上下に膝下の足を動かすことができないだけで膝下の足を軸として回動可能となって膝上の横方向の移動が若干自由になり、さらに、膝関節の働きにより臀部、大腿及び膝が横方向に一層移動可能となるため、単に側方から空気袋により大腿外側面をマッサージしても十分にマッサージの効果が伝達されないという課題を有する。また、膝上の内側及び外側は何も接触するものがなく、なんらマッサージの効果が生じていないという課題を有している。
【０００７】
本発明は前記課題を解決するためになされたもので、大腿及び膝の横方向の動きを抑制し、大腿外側面により一層のマッサージ効果を与えると共に、これまでなんらマッサージ効果が伝達されていなかった膝周辺の内側及び外側を対象としてマッサージすることができるマッサージ機を提供することを目的とする。
【０００８】
【課題を解決するための手段】
本発明に係るマッサージ機は、少なくとも被施療者が座位する座部、及び、被施療者の大腿から臀部までの少なくとも一部分を側方から押圧する大腿部エアセルを有するマッサージ機において、被施療者が座位状態で膝を含む膝周辺内側の両方共に接する保持部を座部に形成するものである。このように本発明においては、一方の足の膝周辺（膝上、膝、膝下を意味する）の内側と他方の足の膝周辺とに接する保持部を座部に形成しているので、被施療者の膝周辺間に形成されている保持部があり、座位している被施療者の足を常時少なくとも保持部の幅分開かせることとなっており、この状態で前記大腿部エアセルが膨張することで膝周辺を保持部がしっかり保持して固定され、膝周辺を押圧すると共に、横方向の移動の自由を奪われた大腿及び臀部がしっかり大腿部エアセルに狭圧され、膝周辺、大腿及び臀部に十分なマッサージ効果を与えることができる。
【０００９】
また、本発明に係るマッサージ機は、少なくとも被施療者が座位する座部、及び、被施療者の大腿から臀部までの少なくとも一部分を側方から押圧する大腿部エアセルを有するマッサージ機において、当該座部の前端側中央部に座部上面方向、座部斜上面方向若しくは座部前方方向へ突出する内側保持部を形成するものである。このように本発明においては、座部の前端側中央部に座部上面方向に突出した内側保持部を形成した場合被施療者が座位した状態で膝上内側間に当該内側保持部が形成されていることとなり、座部の前端側中央部に座部斜上面方向に突出した内側保持部を形成した場合被施療者が座位した状態で膝内側間に当該内側保持部が形成されていることとなり、座部の前端側中央部に座部前方方向に突出した内側保持部を形成した場合被施療者が座位した状態で膝下内側間に当該内側保持部が形成されていることとなるので、各場合において大腿部エアセルが膨張することでそれぞれ膝上、膝、膝下を内側保持部がしっかり保持して固定され、それぞれ膝上、膝、膝下を押圧すると共に、横方向の移動の自由を奪われた大腿及び臀部がしっかり大腿部エアセルに狭圧され、それぞれ膝上、膝、膝下と大腿及び臀部とに十分なマッサージ効果を与えることができる。
【００１０】
また、本発明に係るマッサージ機は必要に応じて、当該座部の前端側両側に座部上面方向、座部斜上面方向若しくは座部前方方向へ突出する外側保持部を形成するものである。このように本発明においては、内側保持部が形成されると共に、座部の前端側両側に座部上面方向に突出した外側保持部を形成した場合被施療者が座位した状態でそれぞれの膝上外側に当該外側保持部が形成されていることとなり、座部の前端側両側に座部斜上面方向に突出した外側保持部を形成した場合被施療者が座位した状態でそれぞれの膝外側に当該外側保持部が形成されていることとなり、座部の前端側両側に座部前方方向に突出した外側保持部を形成した場合被施療者が座位した状態でそれぞれの膝下外側に当該外側保持部が形成されていることとなるので、各場合において大腿部エアセルが膨張する前から、それぞれ膝上、膝、膝下の外側を外側保持部が保持して固定し、大腿部エアセルが膨張することで一方に偏ることなく内側保持部が膝周辺を押圧すると共に、横方向の移動の自由を奪われた大腿及び臀部がしっかり大腿部エアセルに狭圧され、それぞれ膝上、膝、膝下と大腿及び臀部とに十分なマッサージ効果を与えることができる。
【００１１】
また、本発明に係るマッサージ機は必要に応じて、前記保持部、内側保持部及び外側保持部がエアセルからなるものである。このように本発明においては、前記保持部、内側保持部及び外側保持部がエアセルからなるので、千差万別の被施療者の膝周辺の形状に応じて前記保持部、内側保持部及び外側保持部が形状を変えることができると共に、被施療者が座位する前はエアセルに給気せずに前記保持部、内側保持部及び外側保持部を形成しないことにより容易に着座でき、逆に、被施療者が離座する前にエアセルを排気して形成した前記保持部、内側保持部及び外側保持部をなくし容易に離座することができ、同様に、前記保持部、内側保持部及び外側保持部を使用しない場合はエアセルを排気した状態を維持することで他のマッサージ動作を阻害することもない。
【００１２】
また、本発明に係るマッサージ機は必要に応じて、前記保持部、内側保持部及び外側保持部にエアセルを配設するものである。このように本発明においては、前記保持部、内側保持部及び外側保持部にエアセルを配設しているので、保持部、内側保持部及び外側保持部が予め一応の形状を有した状態で被施療者が着座し、その後配設されたエアセルを膨張させることで予め形状を有している分迅速に被施療者の膝周辺の形状に応じてかかるエアセルの形状をかえることができると共に、エアセルによるマッサージを従来できなかった膝周辺自体に行うこともできる。
【００１３】
また、本発明に係るマッサージ機は必要に応じて、前記外側保持部を、前記座部の前端方向に設けられる回動自在のフットレストの両壁と連続形成するものである。このように本発明においては、前記外側保持部を前記座部の前端方向に設けられるフットレストの両壁と連続形成しているので、フットレストを回動させても被施療者の体の一部がフットレストと座部との間で挟まることなく安全にマッサージ運動することができる。
【００１４】
【発明の実施の形態】
（本発明の第１の実施形態）
本発明の第１の実施形態に係るマッサージ機について図１ないし図９に基づいて説明する。図１は本実施形態に係るマッサージ機の全体斜視図、図２は本実施形態に係るメカユニットの正面図、図３は本実施形態に係るメカユニットの右側面図、図４ないし図９は本実施形態に係るマッサージ機の要部斜視図である。ここで、図４ないし図９では座部２及び内側保持部１０を視認しやすいように肘置き３及びフットレスト４を透過させて作図している。
【００１５】
前記図１において本実施形態に係るマッサージ機は、被施療者の背中を支持する背もたれ部１と、この背もたれ部１下端と接し被施療者の臀部を支持する座部２と、被施療者の肘を支持する肘置き３と、座部２の先端下側に枢設され被施療者の足が載置されるフットレスト４と、背もたれ１部の内部にもみ玉５１及びもみ玉５１を動作させるもみ玉機構を有しエアセル６を配設されたメカユニット５とを備え、座部２の前端側中央部に座部上面方向へ突出する内側保持部１０を形成する構成である。ここで、本実施形態に係るマッサージ機の背もたれ部１を座部２に枢着して回動自在にし、リクライニング機能を付加することもできる。また、本実施形態に係るマッサージ機は、いす式マッサージ機に関するものであるが、ベッド式マッサージ機に適用することもできる。なお、本実施形態に係るマッサージ機の背もたれ部１をリクライニング機能により地面に水平になるまで倒し、また、フットレス４を地面に水平になるまで回動させることで、ベッド式マッサージ機の一形態とみなすこともでき、この形態にベッドのに通常必要な構成要素を付加することでベッド式マッサージ機を実現することができる。
【００１６】
前記メカユニット５は、図２及び図３に示すように、もみ玉５１及びもみ玉５１を動作させるもみ玉機構を有し傾動可能な傾動部５２と、この傾動部５２を傾動可能な状態で支持するベース５３とからなる。このベース５３にはメカユニットが昇降するための昇降軸５４が配設され、この昇降軸５４の両端にローラ５５ａ、５５ｂがそれぞれ設けられている。ベース５３のローラ５５ａ、５５ｂの上部位置にさらにローラ５５ｃ、５５ｄが設けられている。このローラ５５ａ、５５ｂ、５５ｃ、５５ｄが挿嵌されるガイドレール７が両端を背もたれ部１に固定することで配設されている。このガイドレール７は、断面凹状の一対で背もたれ部１に沿った形状をしている。このガイドレール７にローラ５５ａ、５５ｂ、５５ｃ、５５ｄを挿嵌すると、昇降軸５４がベース５３に配設される昇降モータ５３ｃが回転することでウォーム５３ｄ及びウォームホイール５３ｅを介して昇降軸５４が回転し、昇降軸５４に応じてローラ５５ａ、５５ｂが回転しそれに伴いローラ５５ｃ、５５ｄも回転し、ローラ５５ａ、５５ｂ、５５ｃ、５５ｄの回転と共にローラ５５ａ、５５ｂ、５５ｃ、５５ｄがガイドレール７に沿って移動する。このようなローラ５５ａ、５５ｂ、５５ｃ、５５ｄの移動により、ローラ５５ａ、５５ｂ、５５ｃ、５５ｄを配設したメカユニット５自体の移動が可能となる。
【００１７】
前記傾動部５２は、昇降軸５４を介して傾動部５２がベース５３に枢着し、傾動部５２の上部に設けられた傾動ラックギア５２ａとベース５３の上部に設けられた傾動ギア５３ａとが噛合して所定角のみ傾動部５２が回動することで傾動可能となる。さらに詳細には、ベース５３の上部に設けられた傾動モータ５ｂが回転することにより図示しないウォームギアを介して傾動ギア５３ａが回転し、傾動ギア５３ａと噛合している傾動ラックギア５２ａを介して傾動部５２が傾動することとなる。
【００１８】
前記エアセル６は、メカユニット５のベース５３の下端中央部の位置に配設されている。エアセル６自体が直接ベース５３に取り付けられているのではなく、被施療者の背中側方向にのみ膨張できるように保持板６ａがベース５３に取り付けられ、その保持板６ａの上にエアセル６が固着されている。保持板６ａは、傾動部５２の傾動範囲を阻害しないように、前方に突出した形状をしている。エアセルの膨縮は、エアセルへの空気の給気・排気により行われており、座部２の下形成された空間に載置されているエアポンプ６ｂからホース（図示しない）を介して空気の給排を行っている。ここで、ホースはメカユニット５の移動及び傾動部５２の傾動を阻害しないように吊設されている。また、同様にメカユニット５に駆動電力を供給する電源ケーブル（図示しない）もホース同様に吊設されている。
【００１９】
前記座部２は、被施療者の座位状態で臀部に対応した位置に、人体の長手方向と直交する方向と同一方向に長手方向を有する矩形状のエアセル９を配設されている。このエアセル９も、エアセル６と同様に、ホースを介してエアポンプ６ｂと接続され、空気の給排を受けている。
【００２０】
前記内側保持部１０は、被施療者の座位した状態で体軸上の股下から膝上までに対応する座部２上面上の部分を開始部分として徐々に、被施療者が座位した状態で股下から膝方向（以降、前端方向）に向う程、座部上面方向に隆起していき、座部２の前端を終了部分として切断された形状をし、全体として座部２の前端側中央部に上面方向へ突出した形状となっている。このような形状にしたのは、内側保持部１０は少なくとも膝を含めた膝周辺の一部を保持しなければならず、他の大腿等の体の部位に接して圧迫することが膝の保持に極力影響を与えないようにするためであり、膝を含めた膝周辺を適切に保持できれば本実施形態に係る内側保持部１０の形状に限定されることはない。また、内側保持部１０は、軟質な物質で成形されていることが好ましく、さらに、接している被施療者の膝周辺の形状に合わせて形状を変え均等な圧力で接触部分を保持するものがよい。軟質な物質としては、具体的には、枕に使用される合成樹脂、ゴム材が挙げられる。また、内側保持部１０を形取った外皮に植物の種子等の固体、空気若しくは液体を封入することで内側保持部１０を形成することもできる。一方で、内側保持部１０を成形している物質の軟質性が高すぎると、膝を十分に保持することができず、膝周辺、大腿及び臀部が横方向に移動して狭圧できずに十分にマッサージ効果を生じさせることができない。したがって、最低限保っておくべき形状を硬質な物質で成形し、その周りを軟質な物質で成形することも好ましく、さらに、複数の硬度の異なる物質で成形することもできる。
【００２１】
前記肘置き３は、被施療者の座位状態で膝上外側若しくは大腿の膝依り外側の位置に、前端方向と同一方向に長手方向を有する矩形状のエアセル１１を配設されている。この大腿部エアセルの一種であるエアセル１１も、エアセル６と同様に、ホースを介してエアポンプ６ｂと接続され、空気の給排を受けている。なお、エアセル１１は、肘置き３に配設されているが、被施療者の座位状態で膝上外側若しくは大腿の膝依り外側の位置に配設されていればよい。したがって、肘置き３が形成されていないマッサージ機の場合には、エアセル１１が配設できるように座部２の両側に肘置き３と同様なものが必要となるが、肘置きとしては使用しないため肘置き３程の高さは必要にならない。大腿部エアセルは、被施療者が座位状態で大腿に対してマッサージを与えることができるエアセルのことをいう。
【００２２】
前記フットレスト４は、被施療者の座位状態で膝下の足を納めるＵ字形となっており、膝下の足の内側と接するエアセル１２ａと膝下の足の外側と接するエアセル１２ｂとを配設されている。このエアセル１２ａ及びエアセル１２ｂも、エアセル６と同様に、ホースを介してエアポンプ６ｂと接続され、空気の給排を受けている。
【００２３】
次に、本実施形態に係るマッサージ機の動作について説明する。被施療者は、座部２に着座し、背もたれ部１に背中を当接した状態でリモコン８を操作してマッサージ機に対して、マッサージ動作を開始するように指示する。この被施療者の指示がもみ玉５１を用いた肩に対するマッサージ動作である場合には、所定位置に位置していたメカユニット５が昇降モータ５３ｃを用いてガイドレール７に従って被施療者の肩位置まで移動する。肩位置まで移動した後に、メカユニット５のもみ玉５１が傾動部５２の内部に配設されているもみ玉機構の駆動によりこの駆動に応じた揺動運動をもみ玉支持アーム５１ａを介して行う。このようなもみ玉の揺動運動により、たたき、もみ等の各種マッサージを実施することができる。特に、メカユニット５を用いている場合には、傾動部５２にもみ玉５１が配設されており傾動部５２が傾動可能であるために、もみ玉が被施療者方向への変移が可能となってより効果的なマッサージ及びより多種なマッサージをすることができる。
【００２４】
被施療者が、もみ玉５１による肩へのマッサージから脊柱周辺のマッサージへの変更をリモコン８を介してマッサージ機に指示する。マッサージ機はこの指示を受けて、もみ玉５１による肩へのマッサージを停止してもみ玉５１を突出しない状態（この突出しない状態とは、もみ玉５１の揺動運動中におけるもみ玉５１の状態のうち比較的に突出していない状態をいう）にしてメカユニット５を頚椎部分に移動させる。頚椎部分に移動したメカユニット５は、エアポンプ６ｂが駆動し空気を生成してホースを介しエアセル６へ給気を開始する。給気を受けてエアセル６は、保持板６ａに保持された状態で被施療者方向へ膨張し、被施療者に当接して施療部位である頚椎を含めた頚椎周辺を圧迫する。ここで、頚椎周辺に対する圧迫は、エアセル６で行っているため、危険性は当然ながらなく、痛みも生じることがない。この頚椎周辺を圧迫した状態でメカユニット５を移動させ、頚椎周辺から胸椎周辺、胸椎周辺から腰椎周辺までを随時マッサージする。
【００２５】
被施療者が、脊柱周辺のマッサージから膝下の足のマッサージへの変更をリモコン８を介してマッサージ機に指示する。マッサージ機はこの指示を受けて、メカユニット５のエアセル６から空気を排気する。次に、エアポンプ６ｂが駆動し空気を生成してホースを介しエアセル１２ａ及びエアセル１２ｂに徐々に給気されていく。エアセル１２ａ及びエアセル１２ｂに空気が給気されるに従って、被施療者の膝下の足がエアセル１２ａ及びエアセル１２ｂにより狭圧され、所定時間経過時点若しくはエアセルの内圧が所定値となった時点で一気にエアセル内の空気を排気するマッサージ動作を繰り返し行う。
【００２６】
被施療者が、膝下の足のマッサージから膝及び大腿のマッサージへの変更をリモコン８を介してマッサージ機に指示する。マッサージ機はこの指示を受けて、フットレスト４のエアセル１２ａ及びエアセル１２ｂから空気を排気する。次に、エアポンプ６ｂが駆動し空気を生成してホースを介しエアセル１１に徐々に給気していく。被施療者は、本マッサージ機に座位した時点で、既に、両膝上内側に挟まれるよう位置に内側保持部１０がある。エアセル１１に空気が給気されるに従って、両大腿外側がこのエアセル１１により押圧され、そのうち両膝上の内側が内側保持部１０に接することとなる。さらに、エアセル１１に空気が給気され、一層両大腿外側がエアセル１１に押圧されることで、内側保持部１０がしっかりと両膝上を保持し、両膝が移動できなくなってこれに伴い大腿も移動することが困難となる。この時点で、既に大腿にエアセル１１から押圧力が加わっているが、さらに、エアセル１１に空気が給気されることで、より一層大腿にマッサージ効果を与えると共に、内側保持部１０に保持されている両膝上にも同様に内側保持部１０から押圧されることでマッサージ効果を与えている。
【００２７】
このように本実施形態に係るマッサージ機によれば、座部２の前端側中央部に座部２上面方向に突出した内側保持部１０を形成した場合被施療者が座位した状態で膝上内側間に当該内側保持部１０が形成されていることとなり、エアセル１１が給気されて膨張することでそれぞれ膝上内側を内側保持部１０がしっかり保持して固定し、膝上内側を押圧すると共に、膝間接を保持されることで横方向の移動の自由を奪われた大腿がしっかりエアセル１１に狭圧され、膝上と大腿とに十分なマッサージ効果を与えることができる。また、エアセル１１に狭圧された状態で、各種マッサージを施すことで、身体自体の移動が制限された状態でマッサージ可能となり、十分各種マッサージの効果を被施療者が受けることができる。
【００２８】
なお、本実施形態に係るマッサージ機においては、図５に示すように、内側保持部１０を座部２と一体成形することもでき、座部２製造段階で内側保持部を同時に成形することで、部品として成形された内側保持部１０を改めて接合する加工の手間がなくなり、迅速にマッサージを製造することができると共に、被施療者が座位した場合に、通常接合部分に生じる凸凹がなく違和感なく快い状態で座位することができる。また、見た目にも流線形であってまとまりがよい。
【００２９】
また、本実施形態に係るマッサージ機においては、座部２の前端側中央部に座部前方方向（本実施形態で定義した前端方向と同一方向である。）へ突出する内側保持部１０を形成することもでき、例えば図６に示すように、内側保持部１０を略立方体の形状として形成することもでき、被施療者が座位した状態で膝下内側間に内側保持部１０が形成されていることとなり、エアセル１１が給気されて膨張することでそれぞれ膝下内側を内側保持部１０がしっかり保持して固定し、膝下内側を押圧すると共に、膝間接を保持されることで横方向の移動の自由を奪われた大腿がしっかりエアセル１１に狭圧され、膝下と大腿とに十分なマッサージ効果を与えることができる。
【００３０】
また、本実施形態に係るマッサージ機においては、座部２の前端側中央部に座部斜上方向へ突出する内側保持部を形成することもでき、例えば図７に示すように、内側保持部１０を略扇柱状の形状として形成することもでき、被施療者が座位した状態で膝内側間に内側保持部１０が形成されていることとなり、エアセル１１が給気されて膨張することでそれぞれ膝内側を内側保持部１０がしっかり保持して固定し、膝内側を押圧すると共に、膝間接を保持されることで横方向の移動の自由を奪われた大腿がしっかりエアセル１１に狭圧され、膝と大腿とに十分なマッサージ効果を与えることができる。
【００３１】
また、本実施形態に係るマッサージ機においては、図８に示すように、エアセル１１の一端を肘置き３に接合し他端を座部２に接合し、エアセル１１を斜めに配設することもでき、被施療者が座位した状態で膝上下側及び外側並びに大腿下側及び外側に接するようにエアセル１１が配設されており、エアセル１１が給気されて膨張することでそれぞれ膝上内側を内側保持部１０がしっかり保持して固定し、膝上内側を押圧すると共に、膝間接を保持されることで横方向の移動の自由を奪われた大腿がしっかりエアセル１１に狭圧され、膝上と大腿特に膝上下側と大腿下側に十分なマッサージ効果を与えることができる。ここで、エアセル１１を一端を肘置き３に接合し他端を座部２に接合してエアセル１１を斜めに配設しているが、斜めに配設できればよく、例えば、断面略直角三角形の三角柱を肘置き３及び座部２により形成される直角面に合わせて配設し、この三角柱の斜上面にエアセル１１を配設することでも斜めに配設することを実現することができる。
【００３２】
また、本実施形態に係るマッサージ機においては、図９に示すように、座部２の横側を肘置き３に沿うように延出させた形状とし、この延出させた形状部分に前記エアセル１１を配設若しくは埋設することもできる。
【００３３】
（本発明の第２の実施形態）
本発明の第１の実施形態に係るマッサージ機について図１０または図１１に基づいて説明する。図１０または図１１は本実施形態に係るマッサージ機の要部斜視図である。ここで、図１０では座部２及び内側保持部１０を視認しやすいように肘置き３及びフットレスト４を透過させて作図し、図１１では同様の理由から肘置き３を透過させて作図している。
【００３４】
本実施形態に係るマッサージ機は、前記第１の実施形態に係るマッサージ機と同様に構成され、座部２の前端側中央部に座部前方方向へ突出する内側保持部１０を形成すると共に、座部２の前端側両側に座部前方方向へ突出する外側保持部１３を形成することを異にする。
前記外側保持部１３は、図１０に示すように、略立方体の形状として形成している。このような形状にしたのは、外側保持部１３は膝を含めた膝下外側を保持するためであり、膝下外側を適切に保持できれば本実施形態に係る外側保持部１３の形状に限定されることはない。
【００３５】
次に、本実施形態に係るマッサージ機の動作について説明する。被施療者は、まず、マッサージ機に座位することで、内側保持部１０と外側保持部１３とに形成される凹に膝を含めた膝周辺が嵌め入り、この状態で既に足の横方向の動きが制限されることとなる。被施療者は、膝下の足のマッサージをするようにリモコン８を介してマッサージ機に指示する。マッサージ機はこの指示を受けて、エアポンプ６ｂを駆動させ空気を生成させてホースを介しエアセル１２ａ及びエアセル１２ｂに徐々に給気されていく。エアセル１２ａ及びエアセル１２ｂに空気が給気されるに従って、被施療者の膝下の足がエアセル１２ａ及びエアセル１２ｂにより狭圧され、所定時間経過時点若しくはエアセル１２ａ及びエアセル１２ｂの内圧が所定値となった時点で一気にエアセルエアセル１２ａ及びエアセル１２ｂ内の空気を排気するマッサージ動作を繰り返し行う。このエアセル１２ａ及びエアセル１２ｂによるマッサージ動作をするときに、内側保持部１０と外側保持部１３があるために被施療者の膝下の足の位置が想定している位置にあるために適切なマッサージをすることができる。
【００３６】
被施療者が、膝下の足のマッサージから膝及び大腿のマッサージへの変更をリモコン８を介してマッサージ機に指示する。マッサージ機はこの指示を受けて、フットレスト４のエアセル１２ａ及びエアセル１２ｂから空気を排気し、エアポンプ６ｂが駆動し空気を生成してホースを介しエアセル１１に徐々に給気していく。被施療者は、本マッサージ機に座位した時点で、既に、両膝下内側に挟まれるよう位置に内側保持部１０があり、膝下外側に沿って外側保持部１３がある。エアセル１１に空気が給気されるに従って、両大腿外側がこのエアセル１１により押圧され、そのうち両膝上の内側が内側保持部１０に接することとなる。さらに、エアセル１１に空気が給気され、一層両大腿外側がエアセル１１に押圧されることで、内側保持部１０がしっかりと両膝上を保持し、両膝が移動できなくなってこれに伴い大腿も移動することが困難となる。この時点で、既に大腿にエアセル１１から押圧力が加わっているが、さらに、エアセル１１に空気が給気されることで、より一層大腿にマッサージ効果を与えると共に、内側保持部１０に保持されている両膝上にも同様に内側保持部１０から押圧されることでマッサージ効果を与えている。
【００３７】
このように本実施形態に係るマッサージ機によれば、座部２の前端側中央部に座部前方方向へ突出する内側保持部１０を形成すると共に、座部２の前端側両側に座部前方方向へ突出する外側保持部１３を形成しているので、被施療者が座位した状態でそれぞれの膝外側に当該外側保持部１３が形成されていることとなり、エアセル１１が膨張する前からマッサージ機をする上で理想的な位置に膝下の足が置かれ、エアセル１１が膨張することで一方に偏ることなく内側保持部１０が膝周辺を押圧すると共に、横方向の移動の自由を奪われた大腿及び臀部がしっかり大腿部エアセルに狭圧され、それぞれ膝上、膝、膝下と大腿及び臀部とに十分なマッサージ効果を与えることができる。
【００３８】
なお、本実施形態に係るマッサージ機においては、図１１に示すように、フットレスト４と内側保持部１０及び外側保持部１３とを一体形成することもでき、座部２製造段階で同時成形可能な部位がある場合にはその部位に関して接合する加工の手間がなくなり、迅速にマッサージを製造することができると共に、被施療者が座位した場合に、通常接合部分に生じる凸凹がなく違和感なく快い状態で座位することができ、さらに、フットレスト４と座部２との間に生じる隙間がなく膝を含めた膝周辺を挟む心配もなく安全にマッサージを受けることができる。ここで、フットレスト４と内側保持部１０及び外側保持部１３のいずれか一方のみと一体形成することもできる。
【００３９】
（本発明の第３の実施形態）
本発明の第３の実施形態に係るマッサージ機を説明する。本実施形態に係るマッサージ機は、前記第１の実施形態に係るマッサージ機と同様に構成され、前記内側保持部１０がエアセルからなることを異にする。
前記内側保持部１０も、エアセル６と同様に、ホースを介してエアポンプ６ｂと接続され、空気の給排を受けている。
【００４０】
次に、本実施形態に係るマッサージ機の動作について説明する。被施療者がマッサージ機に座位する前は、内側保持部１０の空気を排気した状態にしておき、できる限り内側保持部１０をスペースをとらないように平たい形状にしておく。被施療者がマッサージ機に座位した後に、被施療者が膝下の足のマッサージをするようにリモコン８を介してマッサージ機に指示する。マッサージ機はこの指示を受けて、まず、内側保持部１０に給気し、内側保持部１０を図４に示すような形状とする。かかる形状を回復した内側保持部１０は、全体として座部２の前端側中央部に上面方向へ突出した形状となっており、膝上内側間に当該内側保持部１０が形成されていることとなる。内側保持部１０をかかる形状にした後、エアポンプ６ｂが駆動し空気を生成してホースを介しエアセル１１に徐々に給気していく。エアセル１１に空気が給気されるに従って、両大腿外側がこのエアセル１１により押圧され、そのうち両膝上の内側が内側保持部１０に接することとなる。さらに、エアセル１１に空気が給気され、一層両大腿外側がエアセル１１に押圧されることで、内側保持部１０がしっかりと両膝上を保持し、両膝が移動できなくなってこれに伴い大腿も移動することが困難となる。この時点で、既に大腿にエアセル１１から押圧力が加わっているが、さらに、エアセル１１に空気が給気されることで、より一層大腿にマッサージ効果を与えると共に、内側保持部１０に保持されている両膝上にも同様に内側保持部１０から押圧されることでマッサージ効果を与えている。かかるマッサージ動作を終えた後、被施療者がマッサージ機から離座する場合、若しくは、マッサージ機の電源をＯＦＦにした場合には、内側保持部１０は空気を排気され、スペースを取らない平たい形状となる。
【００４１】
このように本実施形態に係るマッサージ機によれば、前記内側保持部１０がエアセルからなるので、千差万別の被施療者の膝周辺の形状に応じて内側保持部１０が形状を変えることができると共に、被施療者が座位する前は内側保持部１０に給気せずに内側保持部１０を形成しないことにより容易に被施療者が着座でき、逆に、被施療者が離座する前にエアセルを排気して形成した内側保持部１０をなくし容易に離座することができ、同様に、内側保持部１０を使用しない場合はエアセルを排気した状態を維持することで他のマッサージ動作を阻害することもない。
なお、本実施形態に係るマッサージ機は、前記第２の実施形態に係るマッサージ機にも適用することができ、即ち、前記内側保持部１０及び外側保持部１３がエアセルからなる構成とすることもできる。
【００４２】
（その他の実施形態）
本発明のその他の実施形態に係るマッサージ機は、前記第１の実施形態に係るマッサージ機において、図１２に示すように、エアセル１４を内側保持部１０の被施療者の膝上内側に対応するように配設することもでき、内側保持部１０が予め一応の形状を有した状態で被施療者が着座し、その後配設されたエアセル１４を膨張させることで予め形状を有している分迅速に被施療者の膝周辺の形状に応じてかかるエアセル１４の形状をかえることができると共に、エアセル１４によるマッサージを従来できなかった膝周辺自体に行うこともできる。同様に、前記第２の実施形態に係るマッサージ機において、図１３に示すように、内側保持部１０の被施療者の膝下内側に対応するように及び外側保持部１３の被施療者の膝下外側に対応するようににエアセル１４を配設することもできる。なお、両足に対応するようにエアセル１４を配設しているが、図１２及び図１３において作図上の理由で現れていない。
【００４３】
前記各実施形態に係るマッサージ機において、前記エアセル（実施の形態に記載する全てのエアセルに適用可能）に替えて液体の流入・排出により膨縮するリキッドセル若しくは固体の流入・排出により膨縮するソリッドセルからなるようにすることもできる。
前記各実施形態に係るマッサージ機において、前記エアセル（実施の形態に記載する全てのエアセルに適用可能）内部を複数のエアセルより構成することもでき、例えば、３つのエアセルからなるエアセルがあった場合に、１つのエアセルが膨らむことで小さいエアセルを形成し、２つのエアセルも膨らむことで中ぐらいのエアセルを形成し、３つのエアセルが膨らむことで大きなエアセルを形成することもできる。また、この場合、１つのエアセルに穴等が空いても他のエアセルに全くエアセルを使えないという事態を回避することができる。
【００４４】
【発明の効果】
以上のように本発明においては、一方の足の膝周辺（膝上、膝、膝下を意味する）の内側と他方の足の膝周辺とに接する保持部を座部に形成しているので、被施療者の膝周辺間に形成されている保持部があり、座位している被施療者の足を常時少なくとも保持部の幅分開かせることとなっており、この状態で前記大腿部エアセルが膨張することで膝周辺を保持部がしっかり保持して固定され、膝周辺を押圧すると共に、横方向の移動の自由を奪われた大腿及び臀部がしっかり大腿部エアセルに狭圧され、膝周辺、大腿及び臀部に十分なマッサージ効果を与えることができるという効果を奏する。
【００４５】
また、本発明においては、座部の前端側中央部に座部上面方向に突出した内側保持部を形成した場合被施療者が座位した状態で膝上内側間に当該内側保持部が形成されていることとなり、座部の前端側中央部に座部斜上面方向に突出した内側保持部を形成した場合被施療者が座位した状態で膝内側間に当該内側保持部が形成されていることとなり、座部の前端側中央部に座部前方方向に突出した内側保持部を形成した場合被施療者が座位した状態で膝下内側間に当該内側保持部が形成されていることとなるので、各場合において大腿部エアセルが膨張することでそれぞれ膝上、膝、膝下を内側保持部がしっかり保持して固定され、それぞれ膝上、膝、膝下を押圧すると共に、横方向の移動の自由を奪われた大腿及び臀部がしっかり大腿部エアセルに狭圧され、それぞれ膝上、膝、膝下と大腿及び臀部とに十分なマッサージ効果を与えることができるという効果を有する。
【００４６】
また、本発明においては、内側保持部が形成されると共に、座部の前端側両側に座部上面方向に突出した外側保持部を形成した場合被施療者が座位した状態でそれぞれの膝上外側に当該外側保持部が形成されていることとなり、座部の前端側両側に座部斜上面方向に突出した外側保持部を形成した場合被施療者が座位した状態でそれぞれの膝外側に当該外側保持部が形成されていることとなり、座部の前端側両側に座部前方方向に突出した外側保持部を形成した場合被施療者が座位した状態でそれぞれの膝下外側に当該外側保持部が形成されていることとなるので、各場合において大腿部エアセルが膨張する前から、それぞれ膝上、膝、膝下の外側を外側保持部が保持して固定し、大腿部エアセルが膨張することで一方に偏ることなく内側保持部が膝周辺を押圧すると共に、横方向の移動の自由を奪われた大腿及び臀部がしっかり大腿部エアセルに狭圧され、それぞれ膝上、膝、膝下と大腿及び臀部とに十分なマッサージ効果を与えることができるという効果を有する。
【００４７】
また、本発明においては、前記保持部、内側保持部及び外側保持部がエアセルからなるので、千差万別の被施療者の膝周辺の形状に応じて前記保持部、内側保持部及び外側保持部が形状を変えることができると共に、被施療者が座位する前はエアセルに給気せずに前記保持部、内側保持部及び外側保持部を形成しないことにより容易に着座でき、逆に、被施療者が離座する前にエアセルを排気して形成した前記保持部、内側保持部及び外側保持部をなくし容易に離座することができ、同様に、前記保持部、内側保持部及び外側保持部を使用しない場合はエアセルを排気した状態を維持することで他のマッサージ動作を阻害することもないという効果を有する。
【００４８】
また、本発明においては、前記保持部、内側保持部及び外側保持部にエアセルを配設しているので、保持部、内側保持部及び外側保持部が予め一応の形状を有した状態で被施療者が着座し、その後配設されたエアセルを膨張させることで予め形状を有している分迅速に被施療者の膝周辺の形状に応じてかかるエアセルの形状をかえることができると共に、エアセルによるマッサージを従来できなかった膝周辺自体に行うこともできるという効果を有する。
【００４９】
また、本発明においては、前記外側保持部を前記座部の前端方向に設けられるフットレストの両壁と連続形成しているので、フットレストを回動させても被施療者の体の一部がフットレストと座部との間で挟まることなく安全にマッサージ運動することができるという効果を有する。
【図面の簡単な説明】
【図１】本発明の第１の実施形態に係るマッサージ機の全体斜視図である。
【図２】本発明の第１の実施形態に係るメカユニットの正面図である。
【図３】本発明の第１の実施形態に係るメカユニットの右側面図である。
【図４】本発明の第１の実施形態に係るマッサージ機の要部斜視図である。
【図５】本発明の第１の実施形態に係るマッサージ機の要部斜視図である。
【図６】本発明の第１の実施形態に係るマッサージ機の要部斜視図である。
【図７】本発明の第１の実施形態に係るマッサージ機の要部斜視図である。
【図８】本発明の第１の実施形態に係るマッサージ機の要部斜視図である。
【図９】本発明の第１の実施形態に係るマッサージ機の要部斜視図である。
【図１０】本発明の第２の実施形態に係るマッサージ機の要部斜視図である。
【図１１】本発明の第２の実施形態に係るマッサージ機の要部斜視図である。
【図１２】本発明のその他の実施形態に係るマッサージ機の要部斜視図である。
【図１３】本発明のその他の実施形態に係るマッサージ機の要部斜視図である。
【図１４】従来のマッサージ機の内部構造を示した全体斜視図である。
【符号の説明】
１  背もたれ部
２  座部
３  肘置き
４  フットレスト
５  メカユニット
５１  もみ玉
５１ａ  もみ玉支持アーム
５２  傾動部
５２ａ  傾動ラックギア
５３  ベース
５３ａ  傾動ギア
５３ｂ  傾動モータ
５３ｃ  昇降モータ
５３ｄ  ウォーム
５３ｅ  ウォームホイール
５４  昇降軸
５５ａ、５５ｂ、５５ｃ、５５ｄ  ローラ
５６  傾動軸
６  エアセル
６ａ  保持板
６ｂ  エアポンプ
６ｃ  介在材
６ｄ  エアセル支持アーム
７  ガイドレール
８  リモコン
９  エアセル
１０  内側保持部
１１  エアセル
１２ａ  エアセル
１２ｂ  エアセル
１３  外側保持部
１４  エアセル
１０９  人体の大腿部から臀部にかけての部分を下方から押圧する空気袋
１１１  人体の大腿部から臀部にかけての部分を側方から押圧する空気袋
１１２  人体のふくらはぎ部の圧迫のための空気袋
【図１】
2004267563.tif 000003
【図２】
2004267563.tif 000004
【図３】
2004267563.tif 000005
【図４】
2004267563.tif 000006
【図５】
2004267563.tif 000007
【図６】
2004267563.tif 000008
【図７】
2004267563.tif 000009
【図８】
2004267563.tif 000010
【図９】
2004267563.tif 000011
【図１０】
2004267563.tif 000012
【図１１】
2004267563.tif 000013
【図１２】
2004267563.tif 000014
【図１３】
2004267563.tif 000015
【図１４】
2004267563.tif 000016